(57)【要約】【課題】回路規模や製造コストを抑えながら、入力されたデータの周波数にかかわらず、情報信号に同期したタイミングで正確に再生データを検出できるようにする。【解決手段】複数の規格に対応した記録媒体にデータを記録再生するために、Ａ/Ｄ変換部１０８の周波数を同じ周波数で兼用し、Ａ/Ｄ変換部１０８より後段のデジタル回路のシステムクロックについて、記録媒体の規格に応じてチャネルクロック周波数がシステムクロック周波数よりも小となるように変更する。さらに、規模の大きなデジタルフィルタ１１０の段数を追加して係数を変更するようにして、兼用可能とした。【選択図】  図１
2009301613.tif 000002
【特許請求の範囲】
【請求項１】
記録媒体から再生された、互いに異なる周波数の複数の情報信号の何れかを入力する入力手段と、
前記入力手段により入力された情報信号を固定周波数のクロックに応じてサンプリングして第１のデジタル信号に変換する変換手段と、
前記変換手段から出力される第１のデジタル信号のサンプル数を、前記入力手段により入力された情報信号の周波数に応じて増加させて第２のデジタル信号を生成するオーバーサンプリング手段と、
前記入力された情報信号の周波数と、前記入力された情報信号の位相変動量とに基づいて、前記第２のデジタル信号から隣接した２つのサンプルを選択し、前記選択したサンプルのデジタル信号を用いて再生データを生成するデータ検出手段とを備えることを特徴とする信号処理装置。
【請求項２】
前記オーバーサンプリング手段は、前記第１のデジタル信号をフィルタ処理してサンプル数を増加させるフィルタを有し、
前記フィルタの周波数特性を、前記入力手段により入力された情報信号の周波数に応じて変更することを特徴とする請求項１に記載の信号処理装置。
【請求項３】
前記入力手段が第１の周波数の情報信号を入力する第１のモードと、前記第１の周波数よりも高い第２の周波数の情報信号を入力する第２のモードを有し、
前記オーバーサンプリング手段は、前記第１のモードにおける前記フィルタのタップ数を前記第２のモードよりも少なくすることを特徴とする請求項２に記載の信号処理装置。
【請求項４】
前記複数の情報信号は、互いに異なる種類の記録媒体から再生された情報信号であることを特徴とする請求項１〜３の何れか１項に記載の信号処理装置。
【請求項５】
前記データ検出手段は、前記記録媒体から再生された情報信号の周波数と前記情報信号の位相変動量とに基づき、前記第２のデジタル信号における前記再生データの位置を判断し、前記判断した位置に基づいて前記２つのサンプルを選択することを特徴とする請求項１〜４の何れか１項に記載の信号処理装置。
【請求項６】
前記データ検出手段は、前記選択した２つのサンプルのデジタル信号を前記判断した位置に応じた比率で合成することにより前記再生データを生成することを特徴とする請求項５に記載の信号処理装置。
【請求項７】
前記データ検出手段から出力される再生データに応じて前記再生された情報信号の位相変動量を検出する位相検出手段を備えたことを特徴とする請求項１〜６の何れか１項に記載の信号処理装置。
【請求項８】
記録媒体から再生された、互いに異なる周波数の複数の情報信号の何れかを入力する入力工程と、
前記入力工程において入力された情報信号を固定周波数のクロックに応じてサンプリングして第１のデジタル信号に変換する変換工程と、
前記変換工程において出力される第１のデジタル信号のサンプル数を、前記入力工程において入力された情報信号の周波数に応じて増加させて第２のデジタル信号を生成するオーバーサンプリング工程と、
前記入力された情報信号の周波数と、前記入力された情報信号の位相変動量とに基づいて、前記第２のデジタル信号から隣接した２つのサンプルを選択し、前記選択したサンプルのデジタル信号を用いて再生データを生成するデータ検出工程とを備えることを特徴とする信号処理方法。
【請求項９】
前記オーバーサンプリング工程は、前記第１のデジタル信号をフィルタ処理してサンプル数を増加させるフィルタを有し、
前記フィルタの周波数特性を、前記入力工程において入力された情報信号の周波数に応じて変更することを特徴とする請求項８に記載の信号処理方法。
【請求項１０】
前記入力工程は、第１の周波数の情報信号を入力する第１のモードと、前記第１の周波数よりも高い第２の周波数の情報信号を入力する第２のモードを有し、
前記オーバーサンプリング工程は、前記第１のモードにおける前記フィルタのタップ数を前記第２のモードよりも少なくすることを特徴とする請求項９に記載の信号処理方法。
【請求項１１】
前記複数の情報信号は、互いに異なる種類の記録媒体から再生された情報信号であることを特徴とする請求項８〜１０の何れか１項に記載の信号処理方法。
【請求項１２】
前記データ検出工程は、前記記録媒体から再生された情報信号の周波数と前記情報信号の位相変動量とに基づき、前記第２のデジタル信号における前記再生データの位置を判断し、前記判断した位置に基づいて前記２つのサンプルを選択することを特徴とする請求項８〜１１の何れか１項に記載の信号処理方法。
【請求項１３】
前記データ検出工程は、前記選択した２つのサンプルのデジタル信号を前記判断した位置に応じた比率で合成することにより前記再生データを生成することを特徴とする請求項１２に記載の信号処理方法。
【請求項１４】
前記データ検出工程において出力される再生データに応じて前記再生された情報信号の位相変動量を検出する位相検出工程を備えたことを特徴とする請求項８〜１３の何れか１項に記載の信号処理方法。
【請求項１５】
記録媒体から再生された、互いに異なる周波数の複数の情報信号の何れかを入力する入力工程と、
前記入力工程において入力された情報信号を固定周波数のクロックに応じてサンプリングして第１のデジタル信号に変換する変換工程と、
前記変換工程において出力される第１のデジタル信号のサンプル数を、前記入力工程において入力された情報信号の周波数に応じて増加させて第２のデジタル信号を生成するオーバーサンプリング工程と、
前記入力された情報信号の周波数と、前記入力された情報信号の位相変動量とに基づいて、前記第２のデジタル信号から隣接した２つのサンプルを選択し、前記選択したサンプルのデジタル信号を用いて再生データを生成するデータ検出工程とをコンピュータに実行させることを特徴とするプログラム。
【請求項１６】
請求項１５に記載のプログラムを記憶したことを特徴とするコンピュータ読み取り可能な記憶媒体。
【発明の詳細な説明】
【技術分野】
【０００１】
本発明は信号処理装置及び信号処理方法に関し、特に、記録媒体に記録された情報信号に同期した再生データを検出するために用いて好適な技術に関する。
【背景技術】
【０００２】
従来、ＤＶＤなどの光ディスクに対してデータを記録再生する装置が知られている。また、ビデオカメラ用として、直径８ｃｍの小径ディスクが開発され、このような８ｃｍディスクに対して映像データ、音声データを記録するビデオカメラも登場している（例えば、特許文献１を参照）。また、近年では、次世代記録メディアとしてブルーレイディスクが用いられるようになってきた。
【０００３】
【特許文献１】特開２００３−１０１９２６号公報
【発明の開示】
【発明が解決しようとする課題】
【０００４】
ところで、ＤＶＤに対して映像データ及び音声データを記録再生するビデオカメラでは、記録するデータのレートにある程度変動があるため、２倍速で記録再生を行うことが考えられている。記録媒体に対して２倍速で記録再生を行う場合、データのチャネルクロックは５２.３２MHzとなっている。他方、Blu-ray規格では、１倍速のチャネルクロックが６６MHzとなっているので、ビデオカメラ用途には１倍速で十分である。
【０００５】
前述のように、ＤＶＤ規格とBly-ray規格とでは、１倍速のチャネルクロックが異なるので、両方のディスクに対し、１台のビデオカメラを用いて記録再生しようとした場合、それぞれのディスクのための処理回路が必要となる。
【０００６】
このため、ＤＶＤ規格のディスク及びBly-ray規格のディスクの両方を記録再生することが可能なビデオカメラを構成するためには、回路規模が増加して製造コストがアップしてしまう問題点があった。
本発明は前述の問題点に鑑み、回路規模や製造コストを抑えながら、入力されたデータの周波数にかかわらず、情報信号に同期したタイミングで正確に再生データを検出できるようにすることを目的としている。
【課題を解決するための手段】
【０００７】
本発明の信号処理装置は、記録媒体から再生された、互いに異なる周波数の複数の情報信号の何れかを入力する入力手段と、前記入力手段により入力された情報信号を固定周波数のクロックに応じてサンプリングして第１のデジタル信号に変換する変換手段と、前記変換手段から出力される第１のデジタル信号のサンプル数を、前記入力手段により入力された情報信号の周波数に応じて増加させて第２のデジタル信号を生成するオーバーサンプリング手段と、前記入力された情報信号の周波数と、前記入力された情報信号の位相変動量とに基づいて、前記第２のデジタル信号から隣接した２つのサンプルを選択し、前記選択したサンプルのデジタル信号を用いて再生データを生成するデータ検出手段とを備えることを特徴とする。
【０００８】
本発明の信号処理方法は、記録媒体から再生された、互いに異なる周波数の複数の情報信号の何れかを入力する入力工程と、前記入力工程において入力された情報信号を固定周波数のクロックに応じてサンプリングして第１のデジタル信号に変換する変換工程と、前記変換工程において出力される第１のデジタル信号のサンプル数を、前記入力工程において入力された情報信号の周波数に応じて増加させて第２のデジタル信号を生成するオーバーサンプリング工程と、前記入力された情報信号の周波数と、前記入力された情報信号の位相変動量とに基づいて、前記第２のデジタル信号から隣接した２つのサンプルを選択し、前記選択したサンプルのデジタル信号を用いて再生データを生成するデータ検出工程とを備えることを特徴とする。
【０００９】
本発明のプログラムは、記録媒体から再生された、互いに異なる周波数の複数の情報信号の何れかを入力する入力工程と、前記入力工程において入力された情報信号を固定周波数のクロックに応じてサンプリングして第１のデジタル信号に変換する変換工程と、前記変換工程において出力される第１のデジタル信号のサンプル数を、前記入力工程において入力された情報信号の周波数に応じて増加させて第２のデジタル信号を生成するオーバーサンプリング工程と、前記入力された情報信号の周波数と、前記入力された情報信号の位相変動量とに基づいて、前記第２のデジタル信号から隣接した２つのサンプルを選択し、前記選択したサンプルのデジタル信号を用いて再生データを生成するデータ検出工程とをコンピュータに実行させることを特徴とする。
【発明の効果】
【００１０】
本発明によれば、規模としては比較的大きなオーバーサンプル用のデジタルフィルタを２つ持つ必要を無くして、システムとしてローコスト化、省電力化、省スペース化を図ることができる。
【発明を実施するための最良の形態】
【００１１】
（第１の実施形態）
以下に、本発明の信号処理装置の実施形態を説明する。
図１は、本実施形態の信号処理装置の概略構成の一例を説明するブロック図である。
図１において、１００がシステムコントローラ、１０１がレーザーダイオード、１０２が偏光ビームスプリッタ、１０３が対物レンズである。また、１０４が記録媒体、１０５が受光センサ、１０６が再生アンプ、１０７がプレフィルタ、１０８がアナログ−デジタル変換部である。また、１０９及び１１０がデジタルフィルタ、１１１が切り替え部、１１２が選択部、１１３が補間部、１１４がクロックゲート、１１５が位相検出部、１１６が最尤復号部（ビタビ）である。また、１１７がループフィルタ、１１８が復調部である。更に、１１９がエラー訂正部（ＥＣＣ）、１２０が伸張部、１２１が画像と音声の出力端子である。
【００１２】
図１において、レーザーダイオード１０１からＤＶＤ規格なら波長６５０nm程度の赤色レーザー光が射出される。また、Blu-ray規格なら波長４０５nm程度の青紫色のレーザー光が射出される。これらの、レーザー光は偏光ビームスプリッタ１０２を直進し、対物レンズ１０３で集光されて記録媒体１０４に照射される。
【００１３】
また、記録媒体１０４からの反射光は、対物レンズ１０３を戻って偏光ビームスプリッタ１０２に入射する。そして、偏光ビームスプリッタ１０２において、図１中の９０度右方向に反射されて受光センサ１０５に入射される。受光センサ１０５は、４つの受光エリアからそれぞれIa、Ib、Ic、Idの検出電流が出力され、再生アンプ１０６で合算される。再生アンプ１０６の出力はプレフィルタ１０７に加えられる。
【００１４】
プレフィルタ１０７は、次段に配設されたアナログ−デジタル変換部（Ａ／Ｄ）１０８でＡ/Ｄ変換するための、いわゆるアンチエイリアスフィルタ（ローパスフィルタ）である。本実施形態においては、互いに異なる種類の記録媒体から再生された情報信号を処理する例として、ＤＶＤ規格の２倍速再生と、Blu-ray規格の１倍速再生を例に説明する。
【００１５】
本実施形態では、アナログ−デジタル変換部１０８は５４MHzでＡ/Ｄ変換するので、プレフィルタ１０７は２７MHz以上の成分を削除する。実際には、ＤＶＤの２倍速では１３MHz程度、Blu-rayの１倍速では２０MHz程度まで再生スペクトラム成分を持つので、２０MHz以上の周波数成分は削除可能である。
【００１６】
アナログ−デジタル変換部１０８の出力は、第１のデジタル信号としてデジタルフィルタ１０９と１１０に加えられる。後述するように、これらのデジタルフィルタ１０９、１１０は兼用可能であるが、説明の都合上、ＤＶＤ規格用とBlu-ray規格用とに分けて説明する。
【００１７】
デジタルフィルタ１０９はＤＶＤ用であり、固定周波数のクロックである５４MHzでＡ/Ｄ変換されたデジタル値の間に３点の０を挿入してからデジタルフィルタ処理を施す。これにより、固定周波数のクロックである５４MHzでサンプリングされたデータを、４倍の２１６MHzサンプリングデータ列になるように、オーバーサンプリングを施すようにする。これにより、アナログ−デジタル変換部１０８から出力される第１のデジタル信号のサンプル数を、入力された情報信号の周波数に応じて増加させて第２のデジタル信号を生成することができる。この様子を、図２を用いて説明する。
【００１８】
図２において、白丸がアナログ−デジタル変換部１０８でＡ/Ｄ変換された２つのサンプル点であり、２つの白丸間の３点の黒丸はデジタルフィルタ１０９で補間することにより生成されたサンプル点である。これにより、隣接した２つのサンプル点間に、３つのサンプル点が増加された第２のデジタル信号が生成される。なお、実際には、２１６MHzのクロックを用いるのではなく、５４MHzのクロックで４つのデータを切り替え部１１１に同時に出力する。
【００１９】
デジタルフィルタ１１０はBlu-ray規格用であり、第１のデジタル信号をフィルタ処理してサンプル数を、入力された情報信号の周波数に応じて変更する機能を有している。本実施形態においては、５４MHzでＡ/Ｄ変換されたデジタル値の間に４点の０を挿入してからデジタルフィルタ処理を施すようにしている。これにより、５４MHzでサンプリングされたデータを５倍の２７０MHzサンプリングデータ列になるように、オーバーサンプリングを施し、生成されたオーバーサンプルデータを選択部１１２にパラレルに出力する。
【００２０】
選択部１１２は、５４MHzと４：５の周波数の関係にある６７.５MHzのクロックで動作しており、デジタルフィルタ１１０から受け取った５つのパラレルデータから、時間順に４つのデータを選択し、選択結果を切り替え部１１１に出力する。デジタルフィルタ１１０と選択部１１２の処理の様子を、図３を用いて説明する。
【００２１】
図３において、白丸がアナログ−デジタル変換部１０８でＡ/Ｄ変換されたサンプル点であり、間の４点の黒丸はデジタルフィルタ１１０で補間することにより生成されたサンプル点である。白丸とそれに続く４点の黒丸の、計５個のサンプル値から選択部１１２がローマ数字I、II、III、IVのように時間順に４つのサンプル値を選択する。また、クロッ
クを５４MHzから６７.５MHzに上げることで、６７.５MHzでの４つのサンプル点をBlu-ray用に生成し、切り替え部１１１に出力する。
【００２２】
切り替え部１１１は、システムコントローラ１００の制御に従い、ＤＶＤ規格の２倍速に対応する時はデジタルフィルタ１０９の出力を選択し、Blu-ray規格の１倍速に対応する時には選択部１１２の出力を選択する。そして、切り替え部１１１により選択された４つのデータを補間部１１３に出力する。この際、ＤＶＤ規格であれば、これ以降(補間部１１３〜エラー訂正部１１９まで)のクロックは５４MHzで動作させる。また、Blu-rayであれば、６７.５MHzで動作させる。
【００２３】
次に、図４を用いて補間部１１３の構成例を説明する。
図４に示したように、切り替え部１１１から供給される４系列の再生データは、端子４０１、４０２、４０３、４０４を通じて選択部（ＳＥＬ）４０６に加えられる。この際に、選択部４０６の４つの入力端子には、時間順に第１のデータ〜第４のデータが加えられる。
【００２４】
また、選択部（ＳＥＬ）４０７の第１入力として、端子４０４から入力されるデータを遅延部（Ｄ）４０５で遅延されたデータが加えられる。以下、第２入力として、端子４０１から入力されるデータが加えられ、第３入力として、端子４０２から入力されるデータが加えられ、第４入力として、端子４０３から入力されるデータが加えられる。
【００２５】
さらに、後述するループフィルタ１１７から出力される周波数情報が端子４０８に加えられ、この周波数情報が変換部４０９に供給される。変換部４０９は、周波数の逆数を演算するために設けられているものであり、次のチャネルクロック時刻までの間隔Δｔが算出され、加算部４１１の一方の入力端子に加えられる。加算部４１１の他方の入力端子には、レジスタ（Ｄ）４１０から出力される数値が与えられている。レジスタ４１０には、システムクロックに基づく基準タイミングからの時間情報が保持されている。加算部４１１の結果は区間判断部４１２に加えられる。
【００２６】
区間判断部４１２は、再生データの位置が４系列データのどの区間に入っているかを判断し、当該区間の両端の再生レベルを選択して線形補間部４１４に加える。また、更新された基準タイミングからの時間情報をレジスタ４１０に出力する。更に、線形補間するための比率を線形補間部４１４に出力し、区間内のチャネルクロックの有り無しに応じて、クロックイネーブルを端子４１３に出力する。線形補間部４１４は、選択部４０６及び選択部４０７から入力される２つのサンプルのデジタル信号を、区間判断部４１２から入力された比率で合成する。
【００２７】
次に、補間部１１３で行われる補間処理の様子を、図５を用いて説明する。
符号Ｐで囲まれた４点が、同時に与えられた４つのサンプリングデータであり、（ａ）で示す三角を現在時刻とする。ここで、レジスタ４１０には、Ａの時刻を示す値が保持されている。与えられた周波数情報から逆数を取ることでΔtを求め、現在時刻に加算した結果が（ｂ）で示す△の点となる。
【００２８】
次に、レジスタ４１０の値はＡ'の時刻に更新される。区間としては４の区間に入ったと判断し、隣接する２つのサンプル値５０１とサンプル値５０２から、（ｂ）の△時点での再生レベルが線形補完され、端子４１５に出力される。
【００２９】
同様に、チャネルクロックに同期した次の再生クロック時刻は（ｃ）で示す三角の点となる。この時、（ｄ）で示すクロック間にはチャネルクロックに同期した再生クロック時刻が無いので、クロックがディスエーブルされる（無効にされる）。
【００３０】
本実施形態では、前述のように、記録媒体１０４に記録されているデジタルデータに同期したチャネルクロックとは非同期にＡ/Ｄ変換を行う。そして、デジタルフィルタ１０９やデジタルフィルタ１１０と、補間部１１３とを用いて、当該デジタルデータに補間を施すことで、チャネルクロックに同期した時刻でのサンプル値を生成する。なお、ＤＶＤ２倍速規格の場合は、Ａ/Ｄ変換のクロックとシステムクロックは５４MHzであり、チャネルクロックは５２.３２MHzである。Blu-ray１倍速規格の場合は、Ａ/Ｄ変換のクロックは５４MHz、システムクロックは６７.５MHz、チャネルクロックは６６MHzとなる。
【００３１】
図１に戻って説明を続ける。
補間部１１３の出力をチャネルクロックに同期したサンプル値として、位相検出部１１５と最尤符号部１１６に加える。また、再生クロック時刻が当該サンプリングポイント内に無い場合には、クロックをディスエーブルし、後段のブロックである位相検出部１１５、ループフィルタ１１７、最尤符号部１１６、復調部１１８、エラー訂正部１１９に加える。
【００３２】
補間部１１３で生成されたサンプル値は、位相検出部１１５で位相検出され、入力された情報信号の位相変動量が検出される。この位相変動量がループフィルタ１１７でラグリード積分処理されることにより周波数に変換されて、補間部１１３に加えられる。これらの補間部１１３、位相検出部１１５、ループフィルタ１１７で再生PLL回路が構成されている。
【００３３】
最尤符号部１１６に加えられたチャネルクロックに同期した再生データは、ビタビデコーダなどの手段により、エラーの少ない２値データに変換される。ＤＶＤの場合は３Ｔ以上、Blu-rayの場合は２Ｔ以上の連続となるので若干の切り替えが必要だが、ビタビデコーダの基本構成は流用可能である。
【００３４】
最尤符号部１１６の出力は復調部１１８に加えられ、規格に応じて同期の検出とＥＦＭ復号もしくは１７ＰＰ復号が行われる。そして、エラー訂正部１１９で規格に応じてエラー訂正され、伸張部１２０で記録データの圧縮方式に応じてMPEG２やAVC-HDの伸張が施される。これらの処理の結果、伸張画像と伸張音声が記録媒体１０４からデータ検出された再生データとして出力端子１２１に出力される。
【００３５】
次に、デジタルフィルタ１０９の具体的な構成と、デジタルフィルタ１１０との兼用について、図６を用いて説明する。
ＤＶＤ用のデジタルフィルタ１０９として、５４MHzサンプリングのデータを４倍の２１６MHzにオーバーサンプルするために、図６(ａ)に示すような４０tapのFIR(Finite Impulse Response) Filterを用いる。
【００３６】
そして、補間前のデータを図６(ｃ)の白丸とし、２つの白丸の間に、黒丸で示した３つの０を挿入して上記FIRフィルタを通すと、図６(ｄ)に示すように白丸に挟まれた間のデータを生成することができる。ここでは、５４MHzのクロックを４倍の２１６MHzに持ち上げるのでは無く、４つ並列に出力し、さらにデータは４個のうち３個は０を挿入している。これにより、図６(ａ)のような４０tapのFIRフィルタを、図６(ｂ)のように１０tap×４のフィルタに置き換えることができる。
【００３７】
一方、Bly-ray用のデジタルフィルタ１１０は、５倍のオーバーサンプルフィルタなので５０tapとし、ＤＶＤ用のデジタルフィルタ１０９と同様の考えで、１０tap×５のフィルタに置き換えることができる。
【００３８】
そこで、図６(ｅ)に示すように、ＤＶＤ用のデジタルフィルタ１０９と並列にＢＤ用の５個目の回路を追加し、係数の設定を切り替えることにより、デジタルフィルタ１０９とデジタルフィルタ１１０とを兼用することが可能となる。１０tap×５の回路でＤＶＤを処理する際には、係数を上段４段に設定し、選択部１１２は「１」に固定する。これにより、デジタルフィルタ１１０の周波数特性を、入力された情報信号の周波数に応じて変更することができる。本実施形態においては、第１の周波数の情報信号を入力する第１のモードと、第１の周波数よりも高い第２の周波数の情報信号を入力する第２のモードにおいて、デジタルフィルタ１１０を兼用している。この場合、第１のモードにおける前記フィルタのタップ数を前記第２のモードよりも少なくしている。
【００３９】
次に、図７のフローチャートを参照しながら本実施形態の信号処理方法を説明する。
処理が開始されると、ステップＳ７１において、記録媒体１０４から検出された情報信号を待機する。そして、情報信号が入力されるとステップＳ７２に進み、入力された情報信号を固定周波数のクロックでサンプリングして第１のデジタル信号を生成する。
【００４０】
次に、ステップＳ７３に進み、ステップＳ７２で生成された第１のデジタル信号のサンプル数を増加させて第２のデジタル信号を生成する。この信号処理は、オーバーサンプリングと呼ばれる信号処理であり、入力された情報信号の周波数に応じてサンプル数を増加させて第２のデジタル信号を生成する。
【００４１】
次に、ステップＳ７４に進み、受け取った５つのパラレルデータから、時間順に４つのパラレルデータを選択する処理を行う。
次に、ステップＳ７５に進み、選択された４つのパラレルデータを補間する。これは、前述したように補間部１１３で行われる処理であり、これにより、チャネルクロックに同期した時刻でのサンプル値を生成することができる。
【００４２】
次に、ステップＳ７６に進み、最尤符号部１１６、復調部１１８、エラー訂正部１１９、伸張部１２０などによって信号処理が施されて再生データが生成される。この生成された再生データが出力端子１２１に出力される。
【００４３】
次に、ステップＳ７７において終了か否かを判断する。この判断の結果、終了ではない場合にはステップＳ７１に戻って前述した処理を繰り返し行う。また、ステップＳ７７の判断の結果、終了する場合にはエンド処理を行う。
【００４４】
以上述べてきたように、本実施形態においては固定クロックでＡ/Ｄ変換し、デジタル回路でチャネルクロックに同期したサンプル点での再生レベルを求めてデータを再生する信号処理装置に適用した例を示した。これにより、従来のＤＶＤ再生回路に若干のデジタルフィルタの追加とデータの選択部、クロックの変更を施すことにより、Blu-ray規格に対応することができる。したがって、ＤＶＤ再生用回路とBlu-ray規格用回路とを独立に持った場合に比べてコストの削減、消費電力の削減を図ることができる。
【００４５】
なお、本構成はゲーテッドクロックを用いている関係で、システムクロックとしては、チャネルクロックより高い必要がある。また、別な観点として、１３.５MHzがビデオ系に存在するので、これと逓倍関係にある周波数がシステムクロックとしては都合がよい。
【００４６】
また、ＤＶＤ２倍速の場合、チャネルクロックが５２.３２MHzなので、システムクロックは５４MHzとする。また、Blu-rayの場合、チャネルクロックが６６MHzなのでシステムクロックとしては６７.５MHzが最適であるが、これに限らずチャネルクロックより高い周波数であればシステムクロックとして適応可能である。
【００４７】
また、本構成をASIC(特定用途向け集積回路)に搭載し、いわゆるアナログマクロを用いてＡ/Ｄ変換を行うことを考えた場合、従来から使っているＡ/Ｄマクロをそのまま流用できるメリットもある。
【００４８】
（本発明に係る他の実施の形態）
前述した本発明の実施の形態における信号処理装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４９】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００５０】
なお、本発明は、前述した信号処理方法における各工程を実行するソフトウェアのプログラム（実施の形態では図７に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５２】
その場合、プログラムの機能を有していれば、オブジェクトコード、インタプリタにより実行されるプログラム、ＯＳに供給するスクリプトデータ等の形態であってもよい。
【００５３】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５４】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５７】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００５８】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００５９】
【図１】本発明の実施形態を示し、信号処理装置の構成例を説明するブロック図である。
【図２】本発明の実施形態を示し、４倍オーバーサンプルを説明する図である。
【図３】本発明の実施形態を示し、デジタルフィルタの出力を選択処理する様子を説明する図である。
【図４】本発明の実施形態を示し、補間部の構成例を説明するブロック図である。
【図５】本発明の実施形態を示し、補間部の補間処理について説明する図である。
【図６】本発明の実施形態を示し、デジタルフィルタの兼用について説明する図である。
【図７】本発明の実施形態を示し、信号処理方法の概略手順を説明するフローチャートである。
【符号の説明】
【００６０】
１００  システムコントローラ
１０１  レーザーダイオード
１０２  偏光ビームスプリッタ
１０３  対物レンズ
１０４  記録媒体
１０５  受光センサ
１０６  再生アンプ
１０７  プレフィルタ
１０８  Ａ/Ｄ変換部
１０９  ＤＶＤ用デジタルフィルタ
１１０  Blu-ray用デジタルフィルタ
１１１  切り替え部
１１２  選択部
１１３  補間部
１１４  クロックゲート
１１５  位相検出部
１１６  最尤復号部（ビタビ）
１１７  ループフィルタ
１１８  復調部
１１９  エラー訂正部（ＥＣＣ）
１２０  伸張部
１２１  出力端子
【図１】
2009301613.tif 000003
【図２】
2009301613.tif 000004
【図３】
2009301613.tif 000005
【図４】
2009301613.tif 000006
【図５】
2009301613.tif 000007
【図６】
2009301613.tif 000008
【図７】
2009301613.tif 000009